(57)【要約】      （修正有）【課題】災害時の緊急避難時にも迅速かつ安定に乳児を搬送でき、乳児と搬送具との一体化による問題も解消できる乳児搬送用バッグを提供する。【解決手段】乳児搬送用バッグ１は、乳児を寝かせることができる長さと幅を有する底面部３と、底面部から上方に筒状に延び、上面側に底面部よりも面積の大きい楕円状の開口３１を形成する側面部と、側面部の開口３１の短軸方向における対向部位に設けられた手提げ紐９と、開口の長軸方向の対向部位から周方向にずれた対向位置に設けられた肩掛け用ベルト７とを有し、ほぼ全体が帆布で形成されている。底面部はファスナーで開閉可能な袋状の二重構造を有して、側面部の乳児の頭部が位置する外側には、クッション材を入れる衝撃緩和用ポケット１３が設けられている。また、一対の結び紐３５を結んで開口を短軸方向に仕切ることにより、バッグから乳児が放り出されることが防止される。【選択図】図２
0003215505.tif 000002
【実用新案登録請求の範囲】
【請求項１】
乳児を寝かせることができる長さと幅を有する底面部と、
前記底面部から上方に筒状に延び、上面側に前記底面部よりも面積の大きい楕円状の開口を形成する側面部と、
前記側面部の前記開口の短軸方向における対向部位に設けられた手提げ紐とを備え、これらは前記側面部が筒状を保つことが可能な帆布で形成され、且つ、前記底面部は二重構造を有していることを特徴とする乳児搬送用バッグ。
【請求項２】
請求項１に記載した乳児搬送用バッグにおいて、
前記側面部の上端部における前記開口の長軸方向の対向部位から周方向にずれた対向位置に設けられた肩掛け用ベルトを有し、前記底面部の二重構造がファスナーで開閉可能な袋状をなしていることを特徴とする乳児搬送用バッグ。
【請求項３】
請求項１または２に記載した乳児搬送用バッグにおいて、
前記側面部の前記長軸方向における乳児の頭部が位置する外側または内側の部位に、クッション材を出し入れ可能な衝撃緩和用袋部が設けられていることを特徴とする乳児搬送用バッグ。
【請求項４】
請求項１から３のいずれか１項に記載の乳児搬送用バッグにおいて、
前記側面部の上端部における前記短軸方向の対向部位に、前記開口を部分的に塞ぎまたは前記開口を狭めることが可能な一対の結び紐が設けられていることを特徴とする乳児搬送用バッグ。
【請求項５】
請求項１から４のいずれか１項に記載の乳児搬送用バッグにおいて、
前記側面部の上端部を内方に折り畳んで使用する浅め形状と、折り畳み部を上方に延ばして使用する深め形状とに任意に切り替えでき、前記手提げ紐は前記浅め形状と前記深め形状の両方で使用できるように設けられていることを特徴とする乳児搬送用バッグ。
【請求項６】
請求項５に記載の乳児搬送用バッグにおいて、
前記側面部の上端部における前記手提げ紐に対応する部分が二重に形成され、前記深め形状で使用するときは前記手提げ紐を前記二重に形成された部分に通して起立した状態に保持することが可能であることを特徴とする乳児搬送用バッグ。
【請求項７】
請求項１から６のいずれか１項に記載の乳児搬送用バッグにおいて、
前記側面部の前記短軸方向における前記底面部寄りに、前記肩掛け用ベルトを使用して脇に抱えたときに手先を挿入して前記底面部に指をあてがうことが可能な手先挿入用バンドが設けられていることを特徴とする乳児搬送用バッグ。
【考案の詳細な説明】
【技術分野】
【０００１】
本考案は、乳児を搬送（日常生活における移動を含む）するためのバッグに関し、特に、災害時における未定頸児の避難に好適な乳児搬送用バッグに関するものである。
【背景技術】
【０００２】
地震や火災等の災害時の避難において、乳児は自力で動けないため母親やその他の身近な人々が手助けをしなければならない。
その場合、生後４ヶ月程度の首がすわっていない乳児（未定頸児）の避難時における移動は、頭を揺り動かすと後遺症が出る危険性があるため慎重を要する。抱っこに慣れている母親でも緊急時には気が動転している場合が多く、未定頸児の避難移動には注意が必要である。ましてや、抱っこに慣れていない近親者等が未定頸児を避難させる場合には危険性が高くなる。
【０００３】
このような問題に対処すべく、頭が動かない状態に乳児を包み込んで搬送する携帯用の搬送具が種々提案されている。
例えば特許文献１には、菱形状の柔軟なシートの裏面側に剛性を有する合成樹脂製のプレートを配置して基体部を構成し、新生児（乳児）を基体部の位置するシート上に仰向けに寝かせた状態でシートを折り畳んで面状ファスナーで留め、頭部はシートを丸めて形成される頭巾部で覆うようにし、全体を肩掛け用バンドで担いで搬送する新生児搬送具が提案されている。
【先行技術文献】
【特許文献】
【０００４】
【特許文献１】特開平２０１４−１３６１２１号公報
【考案の概要】
【考案が解決しようとする課題】
【０００５】
特許文献１に提案されている構成では、新生児を支持する部分に剛性を有するプレートが存在するため、担いだときに新生児の自重でシートが丸まって新生児が沈み込んで圧迫されるような心配はない。
しかしながら、折り畳んだ保管状態から菱形状のシートを広げ、シート上の剛性プレートが存在する部分に新生児を仰向けに寝かせ、次いでシートを折り畳んで面状ファスナーで留める作業が必要である。
このため、一刻を争って慌てることが多い災害時には面倒で手間の掛かる作業となる懸念がある。慌てることでファスナーで留めることを忘れた場合や留め方が弱い場合には、搬送時に新生児が抜け落ちる危険性も否めない。
【０００６】
また、シートで包んでファスナーで留める構成は、新生児と搬送具とが一体化されて安定搬送の観点からは利点となるものの、逆にその拘束性が問題となる場合もある。すなわち、母親等の保護者から搬送具が分離して例えば水流に流された場合に、一体化されているが故に搬送具が救助を妨げる事態も想定され得る。
【０００７】
本考案は上記従来の問題点に着目して為されたものであり、災害時の緊急避難時にも迅速かつ安定して乳児を搬送でき、乳児と搬送具との一体化による問題も解消できる乳児搬送用バッグの提供を、その目的とする。
【課題を解決するための手段】
【０００８】
本考案は、上記目的を達成するために為されたものであり、請求項１の考案は、乳児を寝かせることができる長さと幅を有する底面部と、前記底面部から上方に筒状に延び、上面側に前記底面部よりも面積の大きい楕円状の開口を形成する側面部と、前記側面部の前記開口の短軸方向における対向部位に設けられた手提げ紐とを備え、これらは前記側面部が筒状を保つことが可能な帆布で形成され、且つ、前記底面部は二重構造を有していることを特徴とする乳児搬送用バッグである。
【０００９】
請求項２の考案は、請求項１に記載した乳児搬送用バッグにおいて、前記側面部の上端部における前記開口の長軸方向の対向部位から周方向にずれた対向位置に設けられた肩掛け用ベルトを有し、前記底面部の二重構造がファスナーで開閉可能な袋状をなしていることを特徴とする乳児搬送用バッグである。
【００１０】
請求項３の考案は、請求項１または２に記載した乳児搬送用バッグにおいて、前記側面部の前記長軸方向における乳児の頭部が位置する外側または内側の部位に、クッション材を出し入れ可能な衝撃緩和用袋部が設けられていることを特徴とする乳児搬送用バッグである。
【００１１】
請求項４の考案は、請求項１から３のいずれか１項に記載の乳児搬送用バッグにおいて、前記側面部の上端部における前記短軸方向の対向部位に、前記開口を部分的に塞ぎまたは前記開口を狭めることが可能な一対の結び紐が設けられていることを特徴とする乳児搬送用バッグである。
【００１２】
請求項５の考案は、請求項１から４のいずれか１項に記載の乳児搬送用バッグにおいて、前記側面部の上端部を内方に折り畳んで使用する浅め形状と、折り畳み部を上方に延ばして使用する深め形状とに任意に切り替えでき、前記手提げ紐は前記浅め形状と前記深め形状の両方で使用できるように設けられていることを特徴とする乳児搬送用バッグである。
【００１３】
請求項６の考案は、請求項５に記載の乳児搬送用バッグにおいて、前記側面部の上端部における前記手提げ紐に対応する部分が二重に形成され、前記深め形状で使用するときは前記手提げ紐を前記二重に形成された部分に通して起立した状態に保持することが可能であることを特徴とする乳児搬送用バッグである。
【００１４】
請求項７の考案は、請求項１から６のいずれか１項に記載の乳児搬送用バッグにおいて、前記側面部の前記短軸方向における前記底面部寄りに、前記肩掛け用ベルトを使用して脇に抱えたときに手先を挿入して前記底面部に指をあてがうことが可能な手先挿入用バンドが設けられていることを特徴とする乳児搬送用バッグである。
【考案の効果】
【００１５】
本考案によれば、災害時の緊急避難時にも迅速かつ安定して乳児を搬送でき、乳児と搬送具との一体化による問題も解消できる。
【図面の簡単な説明】
【００１６】
【図１】本考案の実施の形態に係る乳児搬送用バッグの外観を示す図で、（ａ）は正面図、（ｂ）は側面図である。
【図２】図１で示した乳児搬送用バッグの斜視図である。
【図３】図１で示した乳児搬送用バッグの結び紐を結んだ状態の平面図である。
【図４】図１で示した乳児搬送用バッグの高さ調整機能を示す断面図で、（ａ）は深めの使用形状を示す図、（ｂ）は浅めの使用形状を示す図である。
【図５】図１で示した乳児搬送用バッグの使用状態を示す斜め上から見た斜視図である。
【考案を実施するための形態】
【００１７】
以下、本考案の実施の形態について図を参照して説明する。
図１を参照して、本実施の形態に係る乳児搬送用バッグ１の構成の概要を説明する。
乳児搬送用バッグ１は、乳児Ｎが例えば仰向けに寝ることができる長さと幅を有する底面部３と、底面部３から上方に筒状に延び、上面側に底面部３よりも面積の大きい楕円状の開口を形成する側面部５と、側面部５の上端部に設けられた肩掛け用ベルト７と、一対の手提げ紐（取っ手）９等を有している。
乳児搬送用バッグ１は、全体形状としてはトートバッグの形状を有している。
開口の「楕円状」には長方形に近い形状も含むものとする。
【００１８】
乳児搬送用バッグ１は厚手の布地としての帆布（ここでは８号）をメイン生地として形成されている。これにより、床面等に置いたときにほとんど型崩れせずに立体的な収容形状を維持できる保形性を有している。
底面部３は、乳児Ｎを寝かせたときにその重量で凹んで丸まらないように、すなわち、乳児Ｎが沈み込まないように、二重構造にして剛性を付与している。単なる二重構造としてもよいが、本実施の形態ではファスナー１１で開閉自在に構成されており、おむつやお尻拭きなどの身の回りのものを入れられるようになっている。これらを入れた場合にはクッション機能も同時に得られる。
開閉自在に構成された底面部３には、空のペットボトルを入れて水害に遭った場合の浮力発生部としてもよく、未使用時の肩掛け用ベルト７やこれに取り付けられる肩擦れ防止用のパッド（不図示）等を収納してもよい。
【００１９】
側面部５の乳児Ｎの頭部Ｎｈが位置する外側には、クッション材を出し入れ可能な衝撃緩和用ポケット（袋部）１３が設けられている。衝撃緩和用ポケット１３は側面部５の内側に設けてもよい。
肩掛け用ベルト７は、アジャスタ１５で長さを調整できるようになっており、両端部はナスカン１７を介して側面部５に固定された角カン１９に着脱できるようになっている。
側面部５の上端部の外周面には、同じ生地（帆布）で形成されたテープ２１が縫い付けられて固定されている。すなわち、厚みを二重にして保形性の向上を図っている。テープ２１の破線２１ａ、２１ｂ間（中央部）は側面部５に固定されておらず、金属製（例えばニッケル）のボタン２３で留められている。反対側においても同様の構成となっている。
ボタン２３を外して手提げ紐９をテープ２１の内側に通し、その後にボタン２３を留めることにより、手提げ紐９を起立した状態に保持することができる。
【００２０】
本実施の形態における乳児搬送用バッグ１のサイズは、バッグ全体の高さＨ１が３７０ｍｍ、底面部３の長手方向の幅Ｗ１が４００ｍｍ、短手方向の幅Ｗ２が１８０ｍｍ、底面部３の高さＨ２が７０ｍｍ、衝撃緩和用ポケット１３の高さＨ３が２３０ｍｍである。幅Ｗ１は乳児Ｎを寝かせることができる長さであり、幅Ｗ２は乳児Ｎを寝かせることができる幅である。
また、側面部５の上端部は、ライン２５を基準にして内側に折り曲げられるようになっており、後述するように使用時の高さを変えられるようになっている。このため、手提げ紐９は底面側からライン２５の下側近傍まで（破線９ａまで）が側面部５に縫い付けられて固定されている。
側面部５に対する手提げ紐９の縦方向の固定は乳児搬送用バッグ１の保形性の向上にも寄与している。角カン１９もライン２５の下側に固定されている。バッグ上端からライン２５までの高さＨ４（使用時の高さ変更幅）は５０ｍｍである。なお、これらの寸法は一例にすぎず、適宜変更可能であることは言うまでもない。
乳児搬送用バッグ１の正面（手に提げたときまたは脇に抱えたときに外側に向く面）には、夜間の災害時に居場所の早期発見に資するアルミニウム等の光反射テープ２７が設けられている。
なお、図１（ｂ）では、肩掛け用ベルト７や手提げ紐９を省略して表示している。
【００２１】
肩掛け用ベルト７は、図２に示すように、開口３１の長軸方向（ラインＬ１）の対向部位から周方向にずれた対向位置（ラインＬ２）に設けられている。具体的には手提げ紐９から２〜３ｃｍ外側にずれた位置である。
これにより、肩掛け用ベルト７で担いだときに肩掛け用ベルト７による引張力で側面部５が長軸方向で狭まって乳児Ｎが圧迫される（丸くなりすぎる）ことが抑制される。換言すれば、肩掛け用ベルト７の取り付け位置を乳児Ｎの身長に沿う方向から水平面内でずらすことにより、乳児Ｎの体を丸めようとする力を低減でき、窒息を招く屈位を防止でき、担いでいるときでも平坦に寝かせた状態に近い状態を維持することができる。
【００２２】
反射テープ２７の下側、換言すれば、側面部５の開口３１の短軸方向（ラインＬ３）における底面部３寄りには、肩掛け用ベルト７を使用して脇に抱えたときに手先を挿入して底面部３に指をあてがうことが可能な手先挿入用バンド２９が設けられている。
このような構成とすることにより、乳児Ｎを入れて移動するときのバッグの振れを防止することができ、乳児Ｎの揺れを抑制することができる。手先挿入用バンド２９は、利き腕の違いに対応するために側面部５の両側に設けてもよい。
図２において、符号３３は側面部５の内側に設けた透明樹脂製（例えばビニール）のネーム入れを示している。ネーム入れ３３は側面部５の外側に設けてもよい。
また、側面部５の内側には小物を入れる内ポケットを適宜設けてもよい。
【００２３】
本実施の形態に係る乳児搬送用バッグ１は、上面が大きく開口したトートバッグ構造を採用し、且つ、乳児Ｎを入れる立体形状を保持することができる厚手布地の帆布で形成されているので、緊急避難時でもそのまますぐに乳児Ｎを入れることができ、迅速に対応することができる。
すなわち、従来のように乳児Ｎを寝かせた後にシートに包んでファスナー等で留めるというような煩わしい作業が一切不要であるため、避難準備が容易且つ迅速となる。
また、乳児Ｎを例えば仰向けに寝かせた状態でバッグに入れた後は手提げ紐９で提げて、あるいは肩掛け用ベルト７で担いで移動するだけであるので、乳児Ｎをバッグ内に収容してから移動までの時間も必然的に短くなる。
乳児搬送用バッグ１は常時立体形状にしておく必要はなく、不使用時には扁平状態に折り畳んで保管してもよい。この場合、帆布生地は立てればその腰力によって立体形状を維持できるので、他の人の手伝いを必要とすることなく一人で乳児Ｎを抱いてバッグ内に入れることができる。
【００２４】
水害等から避難する際には、物に人を固定しない方が救命の確率が高くなると考えられている。すなわち、流された物（搬送具等）と人とが一体化されているよりも分離し易い方が物と道連れになる危険性を低減できるからである。
本実施の形態に係る乳児搬送用バッグ１はこの考えに基づいて上記のようにトートバッグ構造を採用し、乳児Ｎを固定せずに迅速に搬送できるようにしたものである。
単に入れるだけであっても、乳児Ｎの周囲は保形性、強度、布地の柔らかさを兼ね備えた帆布で覆われるため、保護機能は十分に確保することができる。
【００２５】
但し、バッグごと乳児Ｎが流された場合に、バッグから早期に分離されると却って危険であるため、図３に示すように、短軸方向の対向部位には、開口３１を部分的に塞ぎまたは開口３１を狭めることが可能な一対の結び紐３５（他の図では適宜省略）が設けられている。
結び紐３５で結んで開口３１を仕切ることにより、バッグ内の乳児Ｎが簡単にバッグ外に放り出されない保護機能を付与することができる。すなわち、結び紐３５を設けるという簡単な構成によって、乳児Ｎをバッグ内で固定することによる危険性を抑制しつつ、非固定方式による危険性をも同時に抑制することができる。
【００２６】
図４（ａ）は衝撃緩和用ポケット１３にスポンジ等の緩衝材３７を入れた状態を示している。緩衝材３７としてはタオル等でもよい。このようにすることにより、バッグが物に当たって外部から衝撃が加わっても乳児Ｎの頭部Ｎｈへの衝撃を緩和することができる。
避難時に慌てて乳児Ｎの向きを逆にしても良いように、衝撃緩和用ポケット１３は側面部５の長手方向の両側に設けてもよい。さらに衝撃緩和用ポケット１３を側面部５の周囲（内側または外側）を囲むように配置してもよい。
底面部３にオムツ３９等を入れた場合にはこれがクッション機能を持つため、乳児Ｎの保護機能を一層高めることができる。
【００２７】
図４（ａ）は深めの使用形状（高さＨ１）の場合を示している。バッグが深すぎて乳児Ｎの顔が見えにくい場合には、図４（ｂ）に示すように、バッグの上端部を内側に折り曲げて浅め形状（高さＨ１´＝Ｈ１−Ｈ４）とする。上記のように本例における折り曲げ幅は５ｃｍ程度である。
図４（ａ）に示す深め形状で使用する場合には、ボタン２３を外して手提げ紐９をテープ２１の内側に通してボタン２３を留める。このようにすることで手提げ紐９は素材（帆布）の剛性によって持ち易い状態に起立する。深め形状で手提げ紐９を使って持ち上げた状態を図５に示す。図５は乳児Ｎをおくるみに包んで乳児搬送用バッグ１に入れた状態を示している。
【００２８】
上記では地震や火災、津波等の災害時における避難を想定した説明をしたが、本実施の形態に係る乳児搬送用バッグ１は、日常的に使用する、いわゆるママバッグとしても使用することができるのは勿論である。
日常的に使用することにより、災害時の特別な物としての使用意識下での不慣れを無くすことができ、慌てることなくスムーズに避難使用に切り替えることができる。
バッグ内に避難生活で使用する必需品（日常的に持ち運ぶ養育に必要な最低限のもの）を乳児Ｎと一緒に入れておけば、不測の事態にもすぐに対応できるとともに、これらのものが乳児Ｎの体の沈み込み防止にも役立つ。
また、底面部３の上、すなわち側面部５に囲まれた空間に乳幼児Ｎのみならず、オムツ、衣類その他の避難生活で使用する品を収容し、その品の上に乳児Ｎを寝かせて使用してもよい。
【００２９】
以上、本考案の実施の形態について詳述してきたが、具体的構成は、上記の実施の形態に限定されるものではなく、本考案の趣旨を逸脱しない範囲における設計の変更があっても本考案に含まれる。
例えば、底面部３の物入れ構造はバッグ内に設けてクッション機能を兼ねる構成としてもよい。
【符号の説明】
【００３０】
１…乳児搬送用バッグ    ３…底面部          ５…側面部      ７…肩掛け用ベルト
９…手提げ紐          １１…ファスナー    １３…衝撃緩和用ポケット
２９…手先挿入用バンド  ３１…開口          ３５…結び紐      Ｎ…乳児
【図１】
0003215505.tif 000003
【図２】
0003215505.tif 000004
【図３】
0003215505.tif 000005
【図４】
0003215505.tif 000006
【図５】
0003215505.tif 000007
【手続補正書】
【提出日】平成30年1月24日(2018.1.24)
【手続補正１】
【補正対象書類名】実用新案登録請求の範囲
【補正対象項目名】請求項３
【補正方法】変更
【補正の内容】
【請求項３】
請求項１または２に記載した乳児搬送用バッグにおいて、
前記側面部の長軸方向における乳児の頭部が位置する外側または内側の部位に、クッション材を出し入れ可能な衝撃緩和用袋部が設けられていることを特徴とする乳児搬送用バッグ。
【手続補正２】
【補正対象書類名】実用新案登録請求の範囲
【補正対象項目名】請求項７
【補正方法】変更
【補正の内容】
【請求項７】
請求項２に記載の乳児搬送用バッグにおいて、
前記側面部の前記短軸方向における前記底面部寄りに、前記肩掛け用ベルトを使用して脇に抱えたときに手先を挿入して前記底面部に指をあてがうことが可能な手先挿入用バンドが設けられていることを特徴とする乳児搬送用バッグ。
【手続補正３】
【補正対象書類名】明細書
【補正対象項目名】００１０
【補正方法】変更
【補正の内容】
【００１０】
請求項３の考案は、請求項１または２に記載した乳児搬送用バッグにおいて、前記側面部の長軸方向における乳児の頭部が位置する外側または内側の部位に、クッション材を出し入れ可能な衝撃緩和用袋部が設けられていることを特徴とする乳児搬送用バッグである。
【手続補正４】
【補正対象書類名】明細書
【補正対象項目名】００１４
【補正方法】変更
【補正の内容】
【００１４】
請求項７の考案は、請求項２に記載の乳児搬送用バッグにおいて、前記側面部の前記短軸方向における前記底面部寄りに、前記肩掛け用ベルトを使用して脇に抱えたときに手先を挿入して前記底面部に指をあてがうことが可能な手先挿入用バンドが設けられていることを特徴とする乳児搬送用バッグである。